(57)【要約】【課題】使い捨てカイロを収納するポケット部を設けた保温座布団を、簡単な構成にして安価に量産する。また保温性や安定性に優れ、座り心地や肌触りも良好であり、携行や取り扱いにも便利な保温座布団を提供する。【解決手段】使い捨てカイロを収納するポケット部を設けた保温座布団において、座布団本体１の上面布地２を、裏地となる第１外被布地２ａと、該第１外被布地２ａを覆う第２外被布地２ｂで構成し、これら第１外被布地２ａと第２外被布地１ｂを、カイロ挿入口７を備えた袋状に固着してカイロ収納ポケット部６を形成する。第２外被布地２ｂは、前記第１外被布地２ａの全体を覆う単一布地である。座布団本体１の内部にはクッション部材と断熱シートを収納するとともに、座布団本体１の上面布地２と下面布地３を、前記クッション材と断熱シートを挟んで縫合する。【選択図】図１
0003122161.tif 000002
【実用新案登録請求の範囲】
【請求項１】
使い捨てカイロを収納するポケット部を設けた保温座布団において、
座布団本体の上面布地を、裏地となる第１外被布地と、該第１外被布地を覆う第２外被布地で構成し、これら第１外被布地と第２外被布地を、カイロ挿入口を備えた袋状に固着してカイロ収納ポケット部を形成したことを特徴とする保温座布団。
【請求項２】
前記第２外被布地は、前記第１外被布地の全体を覆う単一布地であり、これら第１外被布地と第２外被布地を重ねて前記カイロ収納ポケット部を複数形成したことを特徴とする請求項１に記載の保温座布団。
【請求項３】
前記カイロ収納ポケット部のカイロ挿入口は、座布団本体の外端縁側に設けられていることを特徴とする請求項１又は２に記載の保温座布団。
【請求項４】
前記第１外被布地と第２外被布地を縫着により袋状に構成することをすることを特徴とする請求項１〜３のいずれかに記載の保温座布団。
【請求項５】
前記座布団本体の内部にクッション部材を収納するとともに、前記座布団本体の上面布地と下面布地を、前記クッション部材を挟んで縫合したことを特徴とする請求項１〜４のいずれかに記載の保温座布団。
【請求項６】
前記座布団本体の内部にクッション部材と断熱シートを収納するとともに、前記座布団本体の上面布地と下面布地を、前記クッション部材と断熱シートを挟んで縫合したことを特徴とする請求項１〜４のいずれかに記載の保温座布団。
【請求項７】
前記断熱シートはアルミ蒸着シートであることを特徴とする請求項６に記載の保温座布団。
【請求項８】
前記座布団本体の上面布地と下面布地の中央部を縫合したことを特徴とする請求項５〜７のいずれかに記載の保温座布団。
【請求項９】
前記カイロ挿入口における前記第１外被布地と前記第２外被布地の対応部に止着部材を設けたことを特徴とする請求項１〜８のいずれかに記載の保温座布団。
【請求項１０】
前記止着部材は面ファスナであることを特徴とする請求項９に記載の保温座布団。
【請求項１１】
前記第２外被布地に吊しタグ部材を設けたことを特徴とする請求項１〜１０のいずれかに記載の保温座布団。
【請求項１２】
前記上面布地の第２外被布地と前記下面布地はフリース地であり、前記第１外被布地は編物地であることを特徴とする請求項５〜１１のいずれかに記載の保温座布団。
【請求項１３】
使い捨てカイロを収納するポケット部を設けた保温座布団において、
前記座布団本体の内部にクッション部材と断熱シートを収納するとともに、前記座布団本体の上面布地と下面布地を、前記クッション材と断熱シートを介して縫合したことを特徴とする保温座布団。
【考案の詳細な説明】
【技術分野】
【０００１】
本考案は、使い捨てカイロを収納し、その発熱作用により保温する座布団に関するものである。
【背景技術】
【０００２】
電気設備のない屋内や屋外で使用するため、いわゆる使い捨てカイロを収納して保温できるようにした座布団が従来から知られている。例えば、座布団の表被部分を蓋状に開閉し、使い捨てカイロを座布団の内部の袋部に収納するようにしたもの（特許文献１）、袋状に縫製した座布団の端縁部に、ファスナで開閉する開口部を設け、この開口部からクッション部材を挿入するとともに、使い捨てカイロを貼り付けた金属板を挿入するもの（特許文献２）、空気で膨張させる座布団の上面部に断熱材を介して使い捨てカイロを置き、その上面を覆い片で被覆するもの（特許文献３）などが提案されている。
【０００３】
しかしながら、特許文献１の座布団は、表被部分全体を開閉させるためにファスナ等の止着具を、ヒンジ部となる一端縁部を除く周縁部に装着しなければならないこと、カイロ収納部分とクッション部材とを隔てる仕切面が必要なこと、などから構成が複雑で、製造コストが高くなり、使い勝手も悪いという問題がある。
【０００４】
また特許文献２の座布団は、金属板に使い捨てカイロを貼り付けて座布団内に収納するため、使用中にカイロが金属板から剥離して位置ズレを生じること、金属板が固着されていないため、座布団内部におい金属板が移動しやすく不安定であること、などの問題がある。さらに特許文献３の座布団は、使い捨てカイロの収納部が部分的に膨らんだ状態になるため座り心地が悪く、座布団上面部に断熱材とカイロを置くための凹部を形成する必要があり、特殊な成形技術を用いるため製作コストも高くなるという問題がある。
【０００５】
【特許文献１】実開平３-１９３４０号公報
【特許文献２】特開平２００１-２０４５８９号公報
【特許文献３】実用新案登録第３０３６６３７号公報
【考案の開示】
【考案が解決しようとする課題】
【０００６】
本考案は前述したような問題を解決するために提案されたものであり、その解決課題は、使い捨てカイロを収納するポケット部を設けた保温座布団を、簡単な構成にして安価に量産することである。
また本考案は、保温性や安定性に優れ、座り心地や肌触りも良好であり、携行や取り扱いにも便利な保温座布団を提供することである。
【課題を解決するための手段】
【０００７】
上記課題を解決するため、本考案の請求項１の考案にあっては、使い捨てカイロを収納するポケット部を設けた保温座布団において、
座布団本体の上面布地を、裏地となる第１外被布地と、該第１外被布地を覆う第２外被布地で構成し、これら第１外被布地と第２外被布地を、カイロ挿入口を備えた袋状に固着してカイロ収納ポケット部を形成したことを特徴とする。
【０００８】
このような保温座布団は、カイロ収納ポケットに市販の使い捨てカイロを収納するだけで、その発熱作用により座布団本体が加温され、使用者の身体接触部位を温めることができ、取り扱いも簡単である。また座布団本体を折り畳んで携行できるため便利である。さらに、第１外被布地と第２外被布地でカイロ収納ポケット部を形成するため、構成が簡単であり、容易かつ安価に量産することができる。カイロ収納ポケット部の形状、容積等は、市販の使い捨てカイロを１個又は複数個収納できるものであれば任意である。袋状に固着する手段は、後述する縫着のほかに、溶着、接着等も含まれる。
【０００９】
また請求項２の考案にあっては、請求項１の考案において、前記第２外被布地は、前記第１外被布地の全体を覆う単一布地であり、これら第１外被布地と第２外被布地を重ねて前記カイロ収納ポケット部を複数形成したことを特徴とする。
【００１０】
これにより、単一布地を使用するだけで複数のカイロ収納ポケット部を簡単かつ安価に形成することができる。また複数のカイロを保温座布団の上面部に均一に複数収納することができるため、保温座布団の上面全体を均等に加温することができる。ここで単一布地とは、１枚の布地のみならず、複数の布地を重ね合わせて一体化したもの、ラミネート被膜を施したもの、等も含まれる。
【００１１】
また請求項３の考案にあっては、請求項１又は２の考案において、前記カイロ収納ポケット部のカイロ挿入口は、座布団本体の外端縁側に設けられていることを特徴とする。このようにすると、使い捨てカイロの出し入れが容易であり、ポケット部の作成も簡単である。
【００１２】
また請求項４の考案にあっては、請求項１〜３のいずれかに記載の考案において、前記第１外被布地と第２外被布地を縫着により袋状に構成することをすることを特徴とする。このようにすれば、保温座布団を一貫した縫製作業だけで作成することができ、製造コストが簡単で安価となる。
【００１３】
また請求項５の考案にあっては、請求項１〜４のいずれかに記載の保温座布団において、前記座布団本体の内部にクッション部材を収納するとともに、前記座布団本体の上面布地と下面布地を、前記クッション部材を挟んで縫合したことを特徴とする。
【００１４】
このようにすれば、座布団本体の上下両面布地とこれら布地の間に収納されるクッション部材が固着されるため、使用中に上下両面布地とクッション部材のズレがなくなり、座り心地が良くなる。クッション部材はウレタン樹脂、発泡樹脂、綿、ゴム等クッション性を有するものであれば任意である。
【００１５】
また請求項６の考案にあっては、請求項１〜４のいずれかに記載の保温座布団において、前記座布団本体の内部にクッション部材と断熱シートを収納するとともに、前記座布団本体の上面布地と下面布地を、前記クッション部材と断熱シートを挟んで縫合したことを特徴とする。
【００１６】
このようにすれば、断熱シートは、クッション部材とともに座布団本体の上面布地と下面布地に固着されるため、使用中にクッション部材と断熱シートが移動せずに安定し、座り心地が良くなる。
【００１７】
また請求項７の考案にあっては、請求項は６に記載の保温座布団において、前記断熱シートはアルミ蒸着シートであることを特徴とする。アルミ蒸着シートは断熱性に優れており安価に入手することができ、クッション部材、下面布地及び上面布地と簡易に縫合することができる。アルミ蒸着シートは市販のものでよく、ポリエステル、ポリエチレン、ポリプロピレン等の各素材シートにアルミ蒸着をしたものが使用できる。
【００１８】
断熱シートは断熱効果を有するものであれば任意であり、断熱性プラスチック薄板、段ボール紙等でも良いが、前述の縫合ができない場合は接着、溶着等によりクッション部材、下面布地又は上面布地と固着することができる
【００１９】
また請求項８の考案にあっては、請求項５〜７のいずれかに記載の保温座布団において、前記座布団本体の上面布地と下面布地の中央部を縫合したことを特徴とする。このようにすれば、一箇所を縫合するだけでクッション部材、断熱シートを固着することができ、製造が簡単である。
【００２０】
また請求項９の考案にあっては、請求項１〜８のいずれかに記載の保温座布団において、前記カイロ挿入口における前記第１外被布地と前記第２外被布地の対応部に止着部材を設けたことを特徴とする。止着部材としては後述する面ファスナのほかに、チャック式ファスナ、ホック、ボタン等任意である。これによりカイロ収納ポケット部に収納したカイロの抜け出しを阻止することができる。
【００２１】
また請求項１０の考案にあっては、請求項９に記載の保温座布団において、前記止着部材は面ファスナであることを特徴とする。面ファスナは安価に入手でき、取り付け作業が簡単でカイロ挿入口を簡単に開閉できる。
【００２２】
また請求項１１の考案にあっては、請求項１〜１０のいずれかに記載の保温座布団において、前記第２外被布地に吊しタグ部材を設けたことを特徴とする。このようにすれば、例えば保温座布団を洗濯した後の乾燥時に、この吊るしタグを洗濯バサミに挟持することができため便利である。
【００２３】
また請求項１２の考案にあっては、請求項５〜１１のいずれかに記載の保温座布団において、前記上面布地の第２外被布地と前記下面布地はフリース地であり、前記１外被布地は編物地であることを特徴とする。このようにすれば、使用者が直接接触する面がフリース地であるため肌触りが良く、保温性、柔軟性にも優れている。
【００２４】
また請求項１３の考案にあっては、使い捨てカイロを収納するポケット部を設けた保温座布団において、
前記座布団本体の内部にクッション部材と断熱シートを収納するとともに、前記座布団本体の上面布地と下面布地を、前記クッション部材と断熱シートを介して縫合したことを特徴とする。
【００２５】
このようにすれば、断熱シートは、クッション部材とともに座布団本体の上面布地と下面布地に固着されるため、使用中にクッション部材と断熱シートが移動することなく安定し、座り心地が良くなる。また、断熱シートをクッション部材とともに座布団本体の上面布地と下面布地に簡単に固着することができる。
【考案の効果】
【００２６】
本発明によれば、使い捨てカイロを収納するポケット部を設けた保温座布団を、簡単な構成で安価に量産することができる。また、その保温座布団は、保温性や安定性に優れ、座り心地や肌触りも良好であり、携帯や取り扱いにも便利である。
【考案を実施するための最良の形態】
【００２７】
以下、本考案の形態を添付図面に従って説明する。図１乃至図３において、１は平面形状が概略正方形の座布団本体であり、この座布団本体１は、図４に示すように、上面布地２と、下面布地３と、これら上下両面布地２，３の間に収納されるクッション部材４及び断熱シート５から構成されている。
【００２８】
上面布地２は、裏地となる第１外被布地２ａと、この第１外被布地２ａの全面を覆うように被着される第２外被布地２ｂからなっている。これら第１外被布地２ａと第２外被布地２ｂは、周端部が縫着されるとともに、図１及び図２に示すように、上面布地２の上下左右の４区画が縫着部８において袋状に縫着され、複数のカイロ収納ポケット部６が形成される。各ポケット部６は、座布団本体１の外端縁１ａ側にカイロ挿入口７が開口されるように縫着される。ポケット部６の数、形状、大きさ等は必要により変更できる。
【００２９】
各ポケット部６におけるカイロ挿入口７の上下対応面、即ち第１外被布地２ａと第２外被布地２ｂの対応面には、雄雌一対の面ファスナ９ａ，９ｂが縫着等により固着されている。また、任意のポケット部６には、布地片を環状にした吊しタグ１０が縫着等により固着されている。吊しタグ１０は、単なる布地片や環状紐等でも良いが、環状にしておくとフック等にも引っ掛けることができる。
【００３０】
これら上下両面布地２，３の間には、前述のクッション部材４と断熱シート５が収納され、上下両面布地２，３の周縁部が縫着される。クッション部材４は、ここでは５ｍｍ厚程度の１枚のウレタン樹脂シートを使用しているが、複数枚を重ね合わせて使用してもよい。また、断熱シート５は、図４に示すようにクッション部材４の下面側に装着されており、クッション部材４に蓄熱された熱が座布団本体１の下面側から放熱するのを防いでいる。断熱シート５は、ここでは厚さ０．０１ｍｍ〜０．３ｍｍ程度のアルミ蒸着シートを使用している。
【００３１】
前述の上下両面布地２，３は、その間に収納されたクッション部材４及び断熱シート５を挟んで、中央縫合部１１において縫合され、上両面布地２、クッション部材４、断熱シート５及び下面布地３が固着される。なお、この実施態様では、上面布地２の第１外被布地２ａはポリエステル編物地、第２外被布地２ｂ及び下面布地３はポリエステルフリース布地を使用している。
【００３２】
本考案の保温座布団を製造するに際しては、まず図５（ａ）に示すように第１外被布地２ａと第２外被布地２ｂのカイロ挿入口７に相当する位置に雄雌面ファスナ９ａ、９ｂを縫着等により取り付けた後、これら第１外被布地２ａと第２外被布地２ｂを重ね合わせ、周端部をカイロ挿入口７に相当する部分を除いて縫着する。また、袋状の縫着部８を逢着してポケット部６を形成し、上面布地２を作成する。
【００３３】
次に、図５（ｂ）に示すように、上面布地２、下面布地３、断熱シート５及びクッション部材４を順に重ね合わせる。この際、上面布地２は第２外被布地２ｂが下面布地３側になるように重ね合わせる。この状態で、一端縁部とカイロ挿入口７に相当する部分を除いて周端部を縫着し、これらを一体化する。
【００３４】
次に、図５（ｃ）に示すように、前述した未縫着の一端縁部を押し開いて上面布地２をクッション部材４側に裏返し、上面布地２の第１外被布地２ａがクッション部材４側となり、第２外被布地２ｂが表側となるようにする。この状態で未縫着の一端縁部を縫着することで、図１に示すような完成品となる。このような方法で製造すると、座布団本体１の周端部の縫い縁が裏側に隠れるため、外見上の体裁が良くなり、簡単な縫製技術で容易に製造することができる。
【００３５】
上述した実施形態は本考案の一例を示したものであり、例えば座布団本体１の全体形状は円形、多角形、星形、ハート形などの任意の形状でもよく、それに応じてカイロ収納ポケット部６の形状等を任意に変更することができる。
【図面の簡単な説明】
【００３６】
【図１】本考案の保温座布団の全体斜視図である。
【図２】本考案の保温座布団の平面図である。
【図３】本考案の保温座布団の底面図である。
【図４】図２のＡ-Ａ断面図である。
【図５（ａ）】本考案の保温座布団の製造手順を説明するための上面布地の組立概略図である。
【図５（ｂ）】同じく保温座布団の各構成部材の組立概略図である。
【図５（ｃ）】同じく上面布地を裏返す状態を示した概略斜視図である。
【符号の説明】
【００３７】
１は座布団本体
1ａは外端縁
２は上面布地
２ａは第１外被布地
２ｂは第２外被布地
３は下面布地
４はクッション部材
５は断熱シート
６はカイロ収納ポケット部
７はカイロ挿入口
８は縫着部
９ａ，９ｂは面ファスナ
１０は吊しタグ
１１は中央縫合部
【図１】
0003122161.tif 000003
【図２】
0003122161.tif 000004
【図３】
0003122161.tif 000005
【図４】
0003122161.tif 000006
【図５（ａ）】
0003122161.tif 000007
【図５（ｂ）】
0003122161.tif 000008
【図５（ｃ）】
0003122161.tif 000009